(57)【要約】      （修正有）【課題】吸引したスパッタを確実に冷却してフィルタへの引火を防止できる集塵機を提供する。【解決手段】上側に開口部５が設けられたドラム３と、ドラム３の上側に設けられた空気流入ダクト１９と、ドラム３に開口部５を塞ぐように設置されたフィルタ５１と、ドラム３内に設置された冷却用内側筒３１、３３と、を具備し、空気流入ダクト１９を介して流入した空気を冷却用内側筒３１、３３に沿って旋回させることにより、空気中に含有されるスパッタが十分に冷却され、フィルタ５１への引火を防止する。【選択図】図１
0003225299.tif 000002
【実用新案登録請求の範囲】
【請求項１】
上側に開口部が設けられたドラムと、
上記ドラムの上側に設けられた空気流入ダクトと、
上記ドラムに上記開口部を塞ぐように設置されたフィルタと、
上記ドラム内に設置された冷却用内側筒と、
を具備し、
上記空気流入ダクトを介して流入した空気を上記冷却用内側筒に沿って旋回させることにより上記空気中に含有されるスパッタを冷却するようにしたことを特徴とする集塵機。
【請求項２】
請求項１記載の集塵機において、
上記冷却用内側筒が上下方向に複数設置されていることを特徴とする集塵機。
【請求項３】
請求項２記載の集塵機において、
上記冷却用内側筒が上下方向に一部重合されていてその重合された部分には旋回流用空間が形成されていることを特徴とする集塵機。
【請求項４】
請求項３記載の集塵機において、
上記冷却用内側筒は逆錐台形状であることを特徴とする集塵機。
【請求項５】
請求項４記載の集塵機において、
上記冷却用内側筒は逆円錐台形状であることを特徴とする集塵機。
【請求項６】
請求項４又は請求項５記載の集塵機において、
各冷却用内側筒の下側の開口部の径は上にいくにしたがって小さくなっていることを特徴とする集塵機。
【請求項７】
請求項２〜請求項６の何れかに記載の集塵機において、
上記冷却用内側筒が上下方向に２個設置されていることを特徴とする集塵機。
【請求項８】
請求項１〜請求項７の何れかに記載の集塵機において、
上記ドラムの下側にはダストポケットが着脱可能に設置されていることを特徴とする集塵機。
【考案の詳細な説明】
【技術分野】
【０００１】
本考案は、例えば、溶接作業で生ずるスパッタを含んだ粉塵を除去する集塵機に係り、特に、吸引したスパッタを確実に冷却してフィルタへの引火を防止できるように工夫したものに関する。
【背景技術】
【０００２】
従来の集塵機の構成を開示するものとして、例えば、特許文献１がある。
【０００３】
まず、特許文献１に記載された集塵機用ファンと集塵機において、集塵機は、主に、枠体と、上記枠体に設置されたドラムと、ドラムの上方に着脱可能に取り付けられたフィルタと、上記ドラムの下方に着脱可能に取り付けられた袋体と、上記枠体に設置された集塵機用ファンとから構成されている。
上記ドラムは円筒形で、上記ドラムには接線方向に延長された流入ダクトが設置されている。上記流入ダクトと上記集塵機用ファンとの間には中継ダクトが設置されている。上記集塵機用ファンは上記枠体に取り付けられている。
【０００４】
上記集塵機用ファンを回転させると、粉塵を含んだ空気が吸引され上記中継ダクトを経て上記流入ダクトから上記ドラム内に吸引される。上記粉塵のうち重い物は上記ドラムの下側に落下して蓄積され、上記粉塵のうち軽い物は上記フィルタ側へ移動する。上記フィルタ側に移動した粉塵は上記フィルタを通過できず、上記ドラムの下側に落下し、粉塵を含まない空気のみが上記フィルタを通過して外部に排出される。
【先行技術文献】
【特許文献】
【０００５】
【特許文献１】実用新案登録第３２１７７９０号公報
【考案の概要】
【考案が解決しようとする課題】
【０００６】
上記従来の構成によると、次のような問題があった。
すなわち、上記集塵機を溶接作業時に発生するスパッタを含んだ粉塵の回収に用いる場合、集塵機内に吸引したスパッタを冷却しきれず、フィルタ等に引火してしまうという問題があった。
【０００７】
本考案はこのような点に基づいてなされたものでその目的とするところは、吸引したスパッタを確実に冷却してフィルタへの引火を防止できる集塵機を提供することにある。
【課題を解決するための手段】
【０００８】
上記目的を達成するべく本願考案の請求項１による集塵機は、上側に開口部が設けられたドラムと、上記ドラムの上側に設けられた空気流入ダクトと、上記ドラムに上記開口部を塞ぐように設置されたフィルタと、上記ドラム内に設置された冷却用内側筒と、  を具備し、上記空気流入ダクトを介して流入した空気を上記冷却用内側筒に沿って旋回させることにより上記空気中に含有されるスパッタを冷却するようにしたことを特徴とするものである。
又、請求項２記載による集塵機は、請求項１記載の集塵機において、上記冷却用内側筒が上下方向に複数設置されていることを特徴とするものである。
又、請求項３による集塵機は、請求項２記載の集塵機において、上記冷却用内側筒が上下方向に一部重合されていてその重合された部分には旋回流用空間が形成されていることを特徴とするものである。
又、請求項４による集塵機は、請求項３記載の集塵機において、上記冷却用内側筒は逆錐台形状であることを特徴とするものである。
又、請求項５による集塵機は、請求項４記載の集塵機において、上記冷却用内側筒は逆円錐台形状であることを特徴とするものである。
又、請求項６による集塵機は、請求項４又は請求項５記載の集塵機において、各冷却用内側筒の下側の開口部の径は上にいくにしたがって小さくなっていることを特徴とするものである。
又、請求項７による集塵機は、請求項２〜請求項６の何れかに記載の集塵機において、  上記冷却用内側筒が上下方向に２個設置されていることを特徴とするものである。
又、請求項８による集塵機は、請求項１〜請求項７の何れかに記載の集塵機において、  上記ドラムの下側にはダストポケットが着脱可能に設置されていることを特徴とするものである。
【考案の効果】
【０００９】
以上述べたように本願考案の請求項１による集塵機によると、上側に開口部が設けられたドラムと、上記ドラムの上側に設けられた空気流入ダクトと、上記ドラムに上記開口部を塞ぐように設置されたフィルタと、上記ドラム内に設置された冷却用内側筒と、  を具備し、上記空気流入ダクトを介して流入した空気を上記冷却用内側筒に沿って旋回させることにより上記空気中に含有されるスパッタを冷却するようにしたので、吸引したスパッタを確実に冷却して回収することができ上記フィルタへの引火を防止することができる。
又、請求項２記載による集塵機によると、請求項１記載の集塵機において、上記冷却用内側筒が上下方向に複数設置されているので、上記効果を高めることができる。
又、請求項３による集塵機によると、請求項２記載の集塵機において、上記冷却用内側筒が上下方向に一部重合されていてその重合された部分には旋回流用空間が形成されているので、より効果的に旋回流を発生させることができ、上記効果を高めることができる。
又、請求項４による集塵機によると、請求項３記載の集塵機において、上記冷却用内側筒は逆錐台形状であるので、より効果的に旋回流を発生させることができ、上記効果を高めることができる。
又、請求項５による集塵機によると、請求項４記載の集塵機において、上記冷却用内側筒は逆円錐台形状であるので、より効果的に旋回流を発生させることができ、上記効果を高めることができる。
又、請求項６による集塵機によると、請求項４又は請求項５記載の集塵機において、各冷却用内側筒の下側の開口部の径は上にいくにしたがって小さくなっているので、冷却されたスパッタが上昇気流により上にいくのを防止することができる。
又、請求項７による集塵機によると、請求項２〜請求項６の何れかに記載の集塵機において、  上記冷却用内側筒が上下方向に２個設置されているので、簡単な構成で所望の効果を得ることができる。
又、請求項８による集塵機によると、請求項１〜請求項７の何れかに記載の集塵機において、  上記ドラムの下側にはダストポケットが着脱可能に設置されているので、冷却されたスパッタ等を容易に回収できる。
【図面の簡単な説明】
【００１０】
【図１】本考案の一実施の形態を示す図で、集塵機の斜視図である。
【図２】本考案の一実施の形態を示す図で、集塵機の正面図である。
【図３】本考案の一実施の形態を示す図で、側面図である。
【図４】本考案の一実施の形態を示す図で、集塵機の内部を模式的に示した図である。
【考案を実施するための形態】
【００１１】
以下、図１乃至図４を参照して本考案の一実施の形態を説明する。図１はこの一実施の形態による集塵機１の全体の構成を示す斜視図であり、まず、ドラム３がある。
【００１２】
上記ドラム３は、例えば、図１及び図２に示すように、図１中上側に開口部５が設けられた有底であって中空の部材である。図１〜図３に示すように、上記ドラム３の側面側（図１中右側）には集塵用ファン７が設置されている。上記集塵用ファン７にはケーシング９があり、図２に示すように、上記ケーシング９内には羽根車１１が回転可能に内装されている。上記ケーシング９の裏側（図１中左側）には、上記羽根車１１を回転させるモータ１２が設置されている。
【００１３】
上記ケーシング９には、図１に示すように、吸入孔１３が設けられている。上記吸入孔１３には、スパッタ等を含む空気１５を吸引する吸引管１７が接続されている。又、上記ドラム３の開口部５側（図１中上側）には流入ダクト１９が設けられていて、上記流入ダクト１９と上記ケーシング９は中継ダクト２１によって連結されている。
上記羽根車１１を回転させると上記スパッタ等を含む空気１５は、図１に示すように、上記吸入管１７から吸引され、上記ケーシング９内と上記中継ダクト２１を通過し、上記流入ダクト１９を介して上記ドラム３内に導入される。
【００１４】
又、図１、図２、及び、図４に示すように、上記ドラム３内の開口部５側（図１中上側）には冷却用内側筒３１、３３が設置されている。上記冷却用内側筒３１、３３は逆円錐台形状をなしていて、図１中下側に向かって縮径されている。又、図２に示すように、上記冷却用内側筒３３と上記冷却用内側筒３１の上側開口部の径は同じに設定されているが、下側開口部の径は上記冷却用内側筒３３の方がより大径に構成されている。
又、上記冷却用内側筒３１は上記冷却用内側筒３３と図１中上下方向に一部を重合させた状態で配置されていて、その重合された部分に旋回流用空間３５が形成されている。
【００１５】
上記ドラム３内に流入された上記スパッタ等を含む空気１５は、まず、ドラム３と冷却用内側筒３１との間を旋回し、次いで、冷却用内側筒３１と冷却用内側筒３３との間の旋回流用空間３５内を旋回し、さらに、冷却用内側筒３３内を旋回する。その際、空気１５中に含まれている高温のスパッタは上記ドラム３、冷却用内側筒３１、上記冷却用内側筒３３に衝突して冷却される。又、冷却されたスパッタ、その他空気１５中の粉塵の内重いものは上記ドラム３の底側（図１中下側）に落下され、軽い物は上記冷却用内側筒３１、３３の中を上昇する気流によって上記ドラム３の開口部５側（図１中上側）に上昇される。
【００１６】
上記ドラム３の下側には、ダスト取り出し用開口部４１が設けられていて、上記ダスト取り出し用開口部４１にはダストポケット４３が着脱可能に設置されている。上記ダストポケット４３の先端側（図３中左側）には図３中下側に向けて延長されたダスト受け部４５が設けられている。上記ドラム３の下側に落下された重い物は、上記ドラム３の底部に蓄積され、上記ダスト取り出し用開口部４１から溢れたものが上記ダストポケット４３のダスト受部４５内に蓄積される。
【００１７】
又、上記ドラム３の上側には上記開口部５を塞ぐようにフィルタ５１が設置されている。上記フィルタ５１は、例えば、フェルト製である。上記ドラム３の開口部５側に上昇された空気１５は上記フィルタ５１内に入り、空気１５中の粉塵は上記フィルタ５１によって捕集され、浄化された空気１５だけが上記フィルタ５１を通過して外部に放出される。
【００１８】
次に、この一実施の形態の作用について説明する。
まず、モータ１２によって羽根車１１を回転させると、スパッタ、その他粉塵を含む空気１５は、図１に示すように、吸入管１７から吸引され、ケーシング９内と上記中継ダクト２１を通過し、流入ダクト１９を介してドラム３内に導入される。
上記ドラム３内に導入された空気１５は、まず、ドラム３と冷却用内側筒３１との間を旋回し、次いで、冷却用内側筒３１と冷却用内側筒３３との間の旋回流用空間３５内を旋回し、さらに、冷却用内側筒３３内を旋回する。その際、空気１５中に含まれている高温のスパッタは上記ドラム３、上記内側筒３１、上記内側筒３３に衝突して冷却される。
又、冷却されたスパッタ、その他重い粉塵は上記ドラム３の底側（図１中下側）に落下され、軽い物は上記冷却用内側筒３１、３３の中を上昇する気流によって上記ドラム３の開口部５側（図１中上側）に上昇される。
【００１９】
上記ドラム３の下側に落下された重い物は、上記ドラム３の底部に蓄積され、上記ダスト取り出し用開口部４１から溢れたものが上記ダストポケット４３のダスト受部４５内に蓄積される。上記ダストポケット４３を上記ドラム３から取り外すことで、上記ドラム３の下側に落下された重い物を回収する。
又、上記ドラム３の開口部５から上昇された空気１５中の粉塵は上記フィルタ５１によって捕集され、浄化された空気１５だけが上記フィルタ５１を通過して外部に放出される。
【００２０】
次に、この一実施の形態による効果について説明する。
まず、ドラム３内の開口部５側（図１中上側）には冷却用内側筒３１、３３が設置されているので、上記ドラム３内に流入された空気１５を効果的に旋回させ、空気１５中に含まれるスパッタを上記ドラム３、上記冷却用内側筒３１、上記冷却用内側筒３３に衝突させて冷却させることができ、それによって、フィルタ５１への引火を防止することができる。
【００２１】
又、上記冷却用内側筒３１、３３は逆円錐台形状をなしているので旋回流を効果的に発生させることができる。
特に、上記冷却用内側筒３３は上記冷却用内側筒３１と上下方向に一部を重合させた状態で配置され、その重合された部分に旋回流用空間３５が形成されているので、より効果的に旋回流を発生させることができる。
又、上記冷却用内側筒３１と上記冷却用内側筒３３の二つの冷却用内筒が設置されているので、集塵機１の構成を簡易なものとすることができる。
又、上記冷却用内側筒３３と上記冷却用内側筒３１の上側開口部の径は同じに設定されているが、下側開口部の径は上記冷却用内側筒３３の方がより大径に構成されているので、冷却されたスパッタが上昇気流にのって上にいくのを防止することができる。
【００２２】
又、上記ドラム３にはダストポケット４３が着脱可能に設置されているので、蓄積されたスパッタ等の回収も容易である。
【００２３】
尚、本考案は前記一実施の形態に限定されるものではない。
まず、冷却用内側筒の数は２個に限定されるものではなく、１個、３個以上であってもよい。
又、冷却用内側筒の形状は逆円錐台形状に限定されるものではなく、円筒形、逆多角錘台形状等の他の錐台形状、等も考えられる。
その他、図示した構成はあくまで一例である。
【産業上の利用可能性】
【００２４】
本考案は、例えば、溶接作業で生ずるスパッタを含んだ粉塵を除去する集塵機に係り、特に、吸引したスパッタを確実に冷却してフィルタへの引火を防止できるように工夫したものに関し、例えば、工場内の溶接が行われる場所で使用する集塵機に好適である。
【符号の説明】
【００２５】
１  集塵機
３  ドラム
５  開口部
１９  流入ダクト
３１  内側筒
３３  内側筒
３５  旋回流用空間
４３  ダストポケット
５１  フィルタ
【図１】
0003225299.tif 000003
【図２】
0003225299.tif 000004
【図３】
0003225299.tif 000005
【図４】
0003225299.tif 000006
【手続補正書】
【提出日】令和1年12月11日(2019.12.11)
【手続補正１】
【補正対象書類名】実用新案登録請求の範囲
【補正対象項目名】全文
【補正方法】変更
【補正の内容】
【実用新案登録請求の範囲】
【請求項１】
上側に開口部が設けられたドラムと、
上記ドラムの上側に設けられた空気流入ダクトと、
上記ドラムに上記開口部を塞ぐように設置されたフィルタと、
上記ドラム内に設置された冷却用内側筒と、
を具備し、
上記空気流入ダクトを介して流入した空気を上記冷却用内側筒に沿って旋回させることにより上記空気中に含有されるスパッタを冷却するようにしたことを特徴とする集塵機。
【請求項２】
請求項１記載の集塵機において、
上記冷却用内側筒が上下方向に複数設置されていることを特徴とする集塵機。
【請求項３】
請求項２記載の集塵機において、
上記冷却用内側筒が上下方向に一部重合されていてその重合された部分には旋回流用空間が形成されていることを特徴とする集塵機。
【請求項４】
請求項３記載の集塵機において、
上記冷却用内側筒体は逆錐台形状であることを特徴とする集塵機。
【請求項５】
請求項４記載の集塵機において、
上記冷却用内側筒体は逆円錐台形状であることを特徴とする集塵機。
【請求項６】
請求項４又は請求項５記載の集塵機において、
上下方向に複数設置されている各冷却用内側筒の下側の開口部の径は、上記冷却用内側筒の配置される位置が上にいくにしたがって小さくなっていることを特徴とする集塵機。
【請求項７】
請求項２〜請求項６の何れかに記載の集塵機において、
上記冷却用内側筒が上下方向に２個設置されていることを特徴とする集塵機。
【請求項８】
請求項１〜請求項７の何れかに記載の集塵機において、
上記ドラムの下側にはダストポケットが着脱可能に設置されていることを特徴とする集塵機。
【手続補正２】
【補正対象書類名】明細書
【補正対象項目名】０００８
【補正方法】変更
【補正の内容】
【０００８】
上記目的を達成するべく本願考案の請求項１による集塵機は、上側に開口部が設けられたドラムと、上記ドラムの上側に設けられた空気流入ダクトと、上記ドラムに上記開口部を塞ぐように設置されたフィルタと、上記ドラム内に設置された冷却用内側筒と、を具備し、上記空気流入ダクトを介して流入した空気を上記冷却用内側筒に沿って旋回させることにより上記空気中に含有されるスパッタを冷却するようにしたことを特徴とするものである。
又、請求項２記載による集塵機は、請求項１記載の集塵機において、上記冷却用内側筒が上下方向に複数設置されていることを特徴とするものである。
又、請求項３による集塵機は、請求項２記載の集塵機において、上記冷却用内側筒が上下方向に一部重合されていてその重合された部分には旋回流用空間が形成されていることを特徴とするものである。
又、請求項４による集塵機は、請求項３記載の集塵機において、上記冷却用内側筒体は逆錐台形状であることを特徴とするものである。
又、請求項５による集塵機は、請求項４記載の集塵機において、上記冷却用内側筒体は逆円錐台形状であることを特徴とするものである。
又、請求項６による集塵機は、請求項４又は請求項５記載の集塵機において、  上下方向に複数設置されている各冷却用内側筒の下側の開口部の径は、上記冷却用内側筒の配置される位置が上にいくにしたがって小さくなっていることを特徴とするものである。
又、請求項７による集塵機は、請求項２〜請求項６の何れかに記載の集塵機において、上記冷却用内側筒が上下方向に２個設置されていることを特徴とするものである。
又、請求項８による集塵機は、請求項１〜請求項７の何れかに記載の集塵機において、上記ドラムの下側にはダストポケットが着脱可能に設置されていることを特徴とするものである。
【手続補正３】
【補正対象書類名】明細書
【補正対象項目名】０００９
【補正方法】変更
【補正の内容】
【０００９】
以上述べたように本願考案の請求項１による集塵機によると、上側に開口部が設けられたドラムと、上記ドラムの上側に設けられた空気流入ダクトと、上記ドラムに上記開口部を塞ぐように設置されたフィルタと、上記ドラム内に設置された冷却用内側筒と、を具備し、上記空気流入ダクトを介して流入した空気を上記冷却用内側筒に沿って旋回させることにより上記空気中に含有されるスパッタを冷却するようにしたので、吸引したスパッタを確実に冷却して回収することができ上記フィルタへの引火を防止することができる。
又、請求項２記載による集塵機によると、請求項１記載の集塵機において、上記冷却用内側筒が上下方向に複数設置されているので、上記効果を高めることができる。
又、請求項３による集塵機によると、請求項２記載の集塵機において、上記冷却用内側筒が上下方向に一部重合されていてその重合された部分には旋回流用空間が形成されているので、より効果的に旋回流を発生させることができ、上記効果を高めることができる。
又、請求項４による集塵機によると、請求項３記載の集塵機において、上記冷却用内側筒体は逆錐台形状であるので、より効果的に旋回流を発生させることができ、上記効果を高めることができる。
又、請求項５による集塵機によると、請求項４記載の集塵機において、上記冷却用内側筒体は逆円錐台形状であるので、より効果的に旋回流を発生させることができ、上記効果を高めることができる。
又、請求項６による集塵機によると、請求項４又は請求項５記載の集塵機において、上下方向に複数設置されている各冷却用内側筒の下側の開口部の径は、上記冷却用内側筒の配置される位置が上にいくにしたがって小さくなっているので、冷却されたスパッタが上昇気流により上にいくのを防止することができる。
又、請求項７による集塵機によると、請求項２〜請求項６の何れかに記載の集塵機において、上記冷却用内側筒が上下方向に２個設置されているので、簡単な構成で所望の効果を得ることができる。
又、請求項８による集塵機によるとは、請求項１〜請求項７の何れかに記載の集塵機において、上記ドラムの下側にはダストポケットが着脱可能に設置されているので、冷却されたスパッタ等を容易に回収できる。